(57)【要約】【課題】貯湯タンク上部の放熱を確実に抑制し、かつ、加熱運転の効率を向上できる貯湯式給湯機を提供すること。【解決手段】本発明の貯湯式給湯機は、貯湯タンク８と、貯湯タンク８の下側の一部を残して貯湯タンク８を覆う断熱材（前部断熱材４６及び後部断熱材４７）と、断熱材に覆われていない貯湯タンク８の露出部分８ｅに設けられた水導出口と、水を加熱する加熱手段と、水導出口から導出された水を加熱手段に送る送水経路と、加熱手段で加熱された温水を貯湯タンク８の上部に戻す貯湯経路と、を備える。【選択図】図４
2015140968.tif 000002
【特許請求の範囲】
【請求項１】
貯湯タンクと、
前記貯湯タンクの下側の一部を残して前記貯湯タンクを覆う断熱材と、
前記断熱材に覆われていない前記貯湯タンクの露出部分に設けられた水導出口と、
水を加熱する加熱手段と、
前記水導出口から導出された水を前記加熱手段に送る送水経路と、
前記加熱手段で加熱された温水を前記貯湯タンクの上部に戻す貯湯経路と、
を備える貯湯式給湯機。
【請求項２】
前記貯湯タンクから取り出された温水と、加熱対象流体とを熱交換する熱交換器と、
前記貯湯タンクの前記露出部分に設けられた温水導入口と、
前記熱交換器を通過した温水を前記温水導入口に戻す戻し経路と、
を備える請求項１に記載の貯湯式給湯機。
【請求項３】
前記貯湯タンクの前記露出部分に設けられた温水導入口と、
前記送水経路により前記加熱手段に送られた水が加熱されない場合または加熱が不十分である場合に当該水を前記温水導入口に戻す循環戻り経路と、
を備える請求項１に記載の貯湯式給湯機。
【請求項４】
前記温水導入口は、前記水導出口より高い位置にある請求項２または請求項３に記載の貯湯式給湯機。
【請求項５】
前記貯湯タンクの前記断熱材に覆われた範囲に設けられた第一温度検出手段と、
前記貯湯タンクの前記露出部分に設けられた第二温度検出手段と、
前記水導出口から導出された水を前記送水経路により前記加熱手段に送るとともに前記加熱手段で加熱された温水を前記貯湯経路により前記貯湯タンクの上部に戻す加熱運転を制御する制御手段と、
を備え、
前記制御手段は、前記第二温度検出手段の検出温度によらず前記第一温度検出手段の検出温度に基づいて前記加熱運転を実施する請求項１から請求項４のいずれか一項に記載の貯湯式給湯機。
【請求項６】
前記断熱材は、前記貯湯タンクの周方向に複数に分割されている請求項１から請求項５のいずれか一項に記載の貯湯式給湯機。
【請求項７】
前記分割された前記断熱材が接合する嵌合部は、一方の前記断熱材に形成された第一端部と他方の前記断熱材に形成された第二端部とが前記断熱材の厚さ方向に重なるように構成され、
前記第一端部は前記貯湯タンクに近い側に位置し、前記第二端部は前記貯湯タンクから遠い側に位置し、
前記第一端部には、先端側から基端側に向かって厚さを漸増させるテーパーが形成されている請求項６に記載の貯湯式給湯機。
【発明の詳細な説明】
【技術分野】
【０００１】
本発明は、貯湯式給湯機に関する。
【背景技術】
【０００２】
ヒートポンプ等の加熱手段によって水を加熱して得られた高温の湯を貯湯タンクに貯留し、必要時に貯湯タンクから湯を取り出して給湯端末に供給するよう構成された貯湯式給湯機が広く用いられている。貯湯タンクは、放熱ロスを抑えるため、断熱材で覆われる。従来の貯湯タンクの断熱構造では、型成形により上下及び前後の５個に分割された発泡断熱材及び真空断熱材を用いて貯湯タンクの外側を覆う構成のものが知られている（例えば、特許文献１参照）。
【先行技術文献】
【特許文献】
【０００３】
【特許文献１】特開２００８−３０９３９０号公報
【発明の概要】
【発明が解決しようとする課題】
【０００４】
しかしながら、上述した断熱構造の場合、貯湯タンクの前後の断熱材の自重により、貯湯タンク上部の断熱材と貯湯タンクの前後の断熱材との嵌合部のすき間が大きくなり、このすき間から熱漏洩が生ずることで、高温である貯湯タンク上部の放熱が大きくなる難点がある。
【０００５】
また、貯湯タンク下部に断熱材があるため、追いだきなどで貯湯タンク下部に溜まる中温水が放熱しにくい。このため、次回のヒートポンプユニットの運転時（加熱運転時）に、ヒートポンプユニットの水冷媒熱交換器に貯湯タンクの下部から導入される給水温度が上昇し、水冷媒熱交換器における冷媒温度と給水温度との温度差が減少し、ヒートポンプユニットの効率（ＣＯＰ）を低下させるという課題がある。
【０００６】
本発明は、上述のような課題を解決するためになされたもので、貯湯タンク上部の放熱を確実に抑制し、かつ、加熱運転の効率を向上できる貯湯式給湯機を提供することを目的とする。
【課題を解決するための手段】
【０００７】
本発明に係る貯湯式給湯機は、貯湯タンクと、貯湯タンクの下側の一部を残して貯湯タンクを覆う断熱材と、断熱材に覆われていない貯湯タンクの露出部分に設けられた水導出口と、水を加熱する加熱手段と、水導出口から導出された水を加熱手段に送る送水経路と、加熱手段で加熱された温水を貯湯タンクの上部に戻す貯湯経路と、を備えたものである。
【発明の効果】
【０００８】
本発明によれば、貯湯タンク上部の放熱を確実に抑制し、かつ、加熱運転の効率を向上することが可能となる。
【図面の簡単な説明】
【０００９】
【図１】本発明の実施の形態１の貯湯式給湯機を示す構成図である。
【図２】本発明の実施の形態１の貯湯式給湯機における貯湯追いだき運転時の回路構成図である。
【図３】本発明の実施の形態１の貯湯式給湯機のタンクユニットの外観斜視図である。
【図４】本発明の実施の形態１の貯湯式給湯機のタンクユニットの模式的な縦断面図（図３の断面Ａに相当）である。
【図５】本発明の実施の形態１の貯湯式給湯機のタンクユニットの模式的な横断面図（図３の断面Ｂに相当）である。
【図６】本発明の実施の形態１の貯湯式給湯機における貯湯タンクの断熱材嵌合部の拡大断面図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の貯湯式給湯機を示す構成図である。図１に示すように、本実施の形態１の貯湯式給湯機３５は、タンクユニット３３と、ヒートポンプサイクルを利用するように構成されたヒートポンプユニット７とを備えている。ヒートポンプユニット７とタンクユニット３３との間は、ヒートポンプ往き配管１４、ヒートポンプ戻り配管１５及び電気配線（図示省略）を介して接続されている。また、タンクユニット３３には、貯湯式給湯機３５の運転動作を制御する制御装置３６（制御手段）が内蔵されている。タンクユニット３３及びヒートポンプユニット７が備える各種の弁類、ポンプ類、センサ類は、制御装置３６に電気的に接続されている。制御装置３６は、リモコン装置５０と相互に通信可能に接続されている。制御装置３６は、例えばマイクロコンピュータ等により構成され、ＲＯＭ、ＲＡＭ、不揮発性メモリ等を含む記憶部と、記憶部に記憶されたプログラムに基いて演算処理を実行する演算処理装置（ＣＰＵ）と、演算処理装置に対して外部の信号を入出力する入出力ポートとを備える。以下、貯湯式給湯機３５の各構成要素について説明する。
【００１２】
ヒートポンプユニット７は、タンクユニット３３から導かれた水を加熱する加熱手段として機能する。ヒートポンプユニット７は、圧縮機１、水冷媒熱交換器３、膨張弁４、空気熱交換器６を冷媒循環配管５にて環状に接続し、冷凍サイクル（ヒートポンプサイクル）を構成している。水冷媒熱交換器３は、冷媒とタンクユニット３３から導かれた水との間で熱交換を行う。ヒートポンプ往き温度サーミスタ３９は、水冷媒熱交換器３で加熱される前の水の温度を検知するための温度センサであり、ヒートポンプ往き配管１４に設けられている。また、ヒートポンプ戻り温度サーミスタ４０は、水冷媒熱交換器３で加熱された高温水の温度を検知するための温度センサであり、ヒートポンプ戻り配管１５に設けられている。
【００１３】
タンクユニット３３には、以下の各種部品及び配管などが内蔵されている。貯湯タンク８は、上側が高温で下側が低温になる温度成層を形成して湯水を貯留する。貯湯タンク８は、略円筒形をなし、その直径に比べて高さ方向の寸法が長い縦長になっている。貯湯タンク８の下部に設けられた水導入口８ａには、市水（低温水）を供給する給水管路９の第三給水配管９ｃが接続されている。給水管路９については後述する。貯湯タンク８の上部には、温水導入出口８ｄが設けられている。温水導入出口８ｄには、貯湯タンク８に貯留した湯を給湯機外部へ供給するための給湯配管２１が接続されている。貯湯タンク８には、ヒートポンプユニット７を用いて加熱された高温水がタンク上部から流入し、第三給水配管９ｃを介して低温水がタンク下部に流入することにより、貯湯タンク８内の上部と下部で温度差が生じるように湯水が貯留される。貯湯タンク８内の湯水の温度分布を検知するため、貯湯タンク８の表面には、高さの異なる位置に複数の温度センサが設置される。本実施の形態１では、貯湯タンク８の上部領域に上部残湯温度サーミスタ４２が配置され、貯湯タンク８の下部領域に下部残湯温度サーミスタ４３に配置されているが、本発明では３個以上の温度センサを貯湯タンク８に取り付けても良い。制御装置３６は、貯湯タンク８に取り付けられたこれらの温度センサにより取得された温度分布に基づいて、貯湯タンク８内の残湯量を把握する。
【００１４】
また、タンクユニット３３内には、循環ポンプ１２及びふろ用熱交換器２０が内蔵されている。循環ポンプ１２は、後述する各種配管に湯水を循環させるためのポンプである。ふろ用熱交換器２０は、貯湯タンク８またはヒートポンプユニット７から供給される高温水を利用して、２次側の加熱対象流体（例えば、浴槽循環水、暖房用循環水など）を加熱するための熱交換器である。なお、本実施の形態１では、ふろ用熱交換器２０の２次側の構成として、浴槽３０内の湯水を循環させるふろ往き配管２７及びふろ戻り配管２８を例に挙げて説明する。ふろ用熱交換器２０は、ふろ往き配管２７及びふろ戻り配管２８を介して浴槽３０と接続され、これらにより循環経路が形成されている。ふろ戻り配管２８の途中には、浴槽水を循環させるためのふろ循環ポンプ２９と、浴槽３０から出た浴槽水の温度を検知するためのふろ戻り温度サーミスタ３８とが設置されている。ふろ往き配管２７の途中には、ふろ用熱交換器２０から出た熱交換後の浴槽水の温度を検知するためのふろ往き温度サーミスタ３７が設置されている。
【００１５】
次に、タンクユニット３３が備える弁類及び配管類について説明する。タンクユニット３３は、三方弁１１及び四方弁１８を有している。三方弁１１は、湯水が流入する２つの入口（ａポート、ｂポート）と、湯水が流出する１つの出口（ｃポート）とを有する流路切り替え手段であり、ａポートもしくはｂポートのどちらかから湯水が流入するように湯水の経路を切り替え可能に構成されている。四方弁１８は、湯水が流入する２つの入口（ｂポート、ｃポート）と、湯水が流出する２つの出口（ａポート、ｄポート）とを有する流路切り替え手段であり、４つの経路、すなわち、ａ−ｂ経路、ａ−ｃ経路、ｂ−ｄ経路、ｃ−ｄ経路の間で流路形態を切り替え可能に構成されている。
【００１６】
また、タンクユニット３３は、水導出口配管１０と、送湯配管１３と、第一バイパス配管１６と、第二バイパス配管１７と、熱源側回路を構成する温水導入配管２０ａ及び温水導出配管２０ｂとを有している。
【００１７】
水導出口配管１０は、貯湯タンク８の水導出口８ｂと三方弁１１のａポートとを接続する流路である。送湯配管１３は、四方弁１８のｄポートと、貯湯タンク８の上部の温水導入出口８ｄとを接続する流路である。前述したヒートポンプ往き配管１４は、三方弁１１のｃポートとヒートポンプユニット７の入口側とを接続する流路であり、ヒートポンプ戻り配管１５は、ヒートポンプユニット７の出口側と四方弁１８のｃポートとを接続する流路である。ヒートポンプ往き配管１４の途中に循環ポンプ１２が配置されている。第一バイパス配管１６は、四方弁１８のａポートと、貯湯タンク８の高さ方向の中央部から下部の間に設けられた温水導入口８ｃとを接続する流路である。第二バイパス配管１７は、ヒートポンプ往き配管１４の途中に設けられた循環ポンプ１２とヒートポンプユニット７の入り口側との間から分岐し、四方弁１８のｂポートに接続される流路である。温水導入配管２０ａは、送湯配管１３の途中から分岐し、ふろ用熱交換器２０の１次側入口に接続される流路である。温水導出配管２０ｂは、ふろ用熱交換器２０の１次側出口と三方弁１１のｂポートとを接続する流路である。
【００１８】
タンクユニット３３は、さらに、第一給水配管９ａ、第二給水配管９ｂ、給湯用混合弁２２、ふろ用混合弁２３、第一給湯配管２４、及び第二給湯配管２５を有している。第一給水配管９ａの一端は水道等の水源に接続され、第一給水配管９ａの他端には減圧弁３１を介して第二給水配管９ｂ及び第三給水配管９ｃが接続されている。第一給水配管９ａ、第二給水配管９ｂ及び第三給水配管９ｃによって給水管路９が構成されている。第二給水配管９ｂは、途中から分岐して給湯用混合弁２２及びふろ用混合弁２３にそれぞれ接続されている。また、給湯配管２１は、途中から分岐して給湯用混合弁２２及びふろ用混合弁２３にそれぞれ接続されている。第二給湯配管２５の途中には、第二給湯配管２５を開閉するふろ用電磁弁２６が設けられている。
【００１９】
給湯用混合弁２２及びふろ用混合弁２３は、給湯配管２１から供給される高温水と、第二給水配管９ｂから供給される低温水との流量比（混合比）を調整することにより、ユーザーがリモコン装置５０にて設定した設定温度の湯を生成し、第一給湯配管２４及び第二給湯配管２５にそれぞれ流入させる。給湯用混合弁２２で温度調整された湯は、第一給湯配管２４から給湯栓３４を経由して、例えば、シャワー、カラン等の蛇口（図示省略）に供給される。一方、ふろ用混合弁２３で温度調整された湯は、第二給湯配管２５からふろ用電磁弁２６、ふろ往き配管２７、ふろ戻り配管２８を経て浴槽３０に供給される。
【００２０】
次に、貯湯式給湯機３５の加熱運転について説明する。加熱運転は、貯湯タンク８の水導出口８ｂから導出した水をヒートポンプユニット７に送り、ヒートポンプユニット７で加熱された高温水を貯湯タンク８の上部に戻すことで、貯湯タンク８の貯湯量（蓄熱量）を増加させる運転である。加熱運転時には、ヒートポンプユニット７および循環ポンプ１２を稼動させる。また、三方弁１１は、ａポートがｃポートに連通し、ｂポートが閉状態となるように制御される。また、四方弁１８は、ｃポートがｄポートに連通し、ａポート及びｂポートが閉状態となるように制御される。加熱運転では、循環ポンプ１２により、貯湯タンク８の水導出口８ｂから導出された水が、水導出口配管１０、三方弁１１、ヒートポンプ往き配管１４を通ってヒートポンプユニット７内の水冷媒熱交換器３に送られる。そして、ヒートポンプユニット７内の水冷媒熱交換器３で加熱された高温水が、ヒートポンプ戻り配管１５、四方弁１８、送湯配管１３を通り、温水導入出口８ｄから貯湯タンク８に流入する。なお、本実施の形態１では、水導出口配管１０、三方弁１１及びヒートポンプ往き配管１４を順次経由する経路が、水導出口８ｂから導出された水をヒートポンプユニット７に送る送水経路に相当する。また、ヒートポンプ戻り配管１５、四方弁１８、送湯配管１３及び温水導入出口８ｄを順次経由する経路が、ヒートポンプユニット７で加熱された温水を貯湯タンク８の上部に戻す貯湯経路に相当する。
【００２１】
次に、図２を参照して貯湯式給湯機３５の貯湯追いだき運転について説明する。図２は、本発明の実施の形態１の貯湯式給湯機３５における貯湯追いだき運転時の回路構成図である。貯湯追いだき運転とは、貯湯タンク８に貯えた高温水と浴槽３０内の浴槽水とをふろ用熱交換器２０に導いて熱交換し、浴槽３０内の浴槽水の加熱を実施する運転である。この貯湯追いだき運転時には、三方弁１１は、ｂポートがｃポートに連通し、ａポートが閉状態となるように制御される。また、四方弁１８は、ａポートがｂポートに連通し、ｃポート及びｄポートが閉状態となるように制御される。貯湯追いだき運転は、上記のように三方弁１１及び四方弁１８が制御された状態で、循環ポンプ１２及びふろ循環ポンプ２９の運転を開始することにより実行される。貯湯追いだき運転では、貯湯タンク８の温水導入出口８ｄから流出する高温水が送湯配管１３及び温水導入配管２０ａを経由してふろ用熱交換器２０に導かれ、ふろ用熱交換器２０で浴槽水と熱交換することで温度低下して中温水になる。この中温水は、温水導出配管２０ｂ、三方弁１１、ヒートポンプ往き配管１４、第二バイパス配管１７、四方弁１８、第一バイパス配管１６を順次経由して、温水導入口８ｃから貯湯タンク８に流入する。一方、浴槽３０側の経路では、ふろ循環ポンプ２９を運転することで、浴槽３０に張られた浴槽水がふろ往き配管２７及びふろ戻り配管２８内を循環する。その結果、ふろ用熱交換器２０の１次側を流れる高温水の熱が、ふろ用熱交換器２０の２次側を流れる浴槽水に伝達し、浴槽３０内に張られた浴槽水が温められる。なお、本実施の形態１では、温水導出配管２０ｂ、三方弁１１、ヒートポンプ往き配管１４、第二バイパス配管１７、四方弁１８、第一バイパス配管１６を順次経由する経路が、ふろ用熱交換器２０を通過した温水を温水導入口８ｃに戻す戻し経路に相当する。
【００２２】
次に、貯湯式給湯機３５のバイパス運転について説明する。バイパス運転時には、三方弁１１は、ａポートがｃポートに連通し、ｂポートが閉状態となるように制御される。また、四方弁１８は、ａポートがｃポートに連通し、ｂポート及びｄポートが閉状態となるように制御される。この状態で循環ポンプ１２を稼動させると、貯湯タンク８の水導出口８ｂから導出された水が、水導出口配管１０、三方弁１１、ヒートポンプ往き配管１４、ヒートポンプユニット７内の水冷媒熱交換器３、ヒートポンプ戻り配管１５、四方弁１８、第一バイパス配管１６を順次経由して、温水導入口８ｃから貯湯タンク８内に戻るように循環する。
【００２３】
加熱運転の開始時、ヒートポンプユニット７を起動した直後は、加熱が不十分になるため、ヒートポンプユニット７の出口の水温が所定の加熱温度に達しない。このため、ヒートポンプユニット７の出口の水温が所定の加熱温度に達するまでの間は、上記バイパス運転を行うことで、貯湯タンク８の上部の温度低下を抑制する。また、冬期にヒートポンプ往き配管１４及びヒートポンプ戻り配管１５等が凍結するおそれのある場合には、ヒートポンプユニット７を稼動させずに上記バイパス運転を行うことで、ヒートポンプ往き配管１４及びヒートポンプ戻り配管１５等に貯湯タンク８内の水を循環させ、ヒートポンプ往き配管１４及びヒートポンプ戻り配管１５等の凍結を防止する。なお、本実施の形態１では、ヒートポンプ戻り配管１５、四方弁１８、第一バイパス配管１６を順次経由する経路が、ヒートポンプユニット７に送られた水が加熱されない場合または加熱が不十分である場合に当該水を温水導入口８ｃに戻す循環戻り経路に相当する。
【００２４】
次に、図３から図６を参照して貯湯タンク８の断熱構造について説明する。図３は、本発明の実施の形態１の貯湯式給湯機３５のタンクユニット３３の外観斜視図である。図４は、本発明の実施の形態１の貯湯式給湯機３５のタンクユニット３３の模式的な縦断面図（図３の断面Ａに相当）である。図５は、本発明の実施の形態１の貯湯式給湯機３５のタンクユニット３３の模式的な横断面図（図３の断面Ｂに相当）である。図６は、本発明の実施の形態１の貯湯式給湯機３５における貯湯タンク８の断熱材嵌合部の拡大断面図である。
【００２５】
図３に示すように、タンクユニット３３は、略直方体形状のユニットケース３２を有し、このユニットケース３２内に貯湯タンク８を含む前述した各種の機器を収納している。ユニットケース３２は、複数の脚４５により、設置面上に支持及び固定されている。図３は、タンクユニット３３の正面をやや斜めの方向から見た図である。図４及び図５では、図中の左側がタンクユニット３３の正面すなわち前に相当する。
【００２６】
図４に示すように、貯湯タンク８は、ユニットケース３２内で、複数の支持部材４４により支持されている。支持部材４４は、貯湯タンク８の下部の外周に取り付けられている。支持部材４４の下端が脚４５の上端に接続されている。貯湯タンク８は、下側の一部（露出部分８ｅ）を残して、前部断熱材４６及び後部断熱材４７により覆われている。前部断熱材４６は、貯湯タンク８の前側の半分を覆う。後部断熱材４７は、貯湯タンク８の後ろ側の半分を覆う。前部断熱材４６及び後部断熱材４７は、例えば発泡プラスチック等により成形されている。ただし、本発明では、発泡プラスチック等の成形部材と例えば真空断熱材等の他種の断熱材とを組み合わせて断熱材を構成しても良い。なお、図４は、貯湯タンク８については、切断しない状態の図としている。
【００２７】
図５に示すように、本実施の形態１では、貯湯タンク８を覆う断熱材は、貯湯タンク８の周方向に二つに分割された前部断熱材４６及び後部断熱材４７で構成されている。ただし、本発明では、貯湯タンク８を覆う断熱材が貯湯タンク８の周方向に三個またはそれ以上に分割されていても良い。なお、図５は、貯湯タンク８については、切断せず、かつ、温水導入出口８ｄ等を省略した状態の図としている。
【００２８】
図４に示すように、前部断熱材４６は、貯湯タンク８の周面を覆う周壁部４６ａと、周壁部４６ａの上端から径方向内方に延びて貯湯タンク８の上部を覆う上壁部４６ｂとを有する。同様に、後部断熱材４７は、貯湯タンク８の周面を覆う周壁部４７ａと、周壁部４７ａの上端から径方向内方に延びて貯湯タンク８の上部を覆う上壁部４７ｂとを有する。周壁部４６ａ，４７ａは、貯湯タンク８の周面の上端から、中間高さ位置より低い所定高さまでの範囲を覆っている。貯湯タンク８の下側の、前部断熱材４６及び後部断熱材４７により覆われていない露出部分８ｅには、断熱材が設けられていない。温水導入口８ｃ及び下部残湯温度サーミスタ４３は、貯湯タンク８の露出部分８ｅに設けられている。また、図４では省略しているが、水導入口８ａ及び水導出口８ｂも貯湯タンク８の露出部分８ｅに設けられている。水導入口８ａ及び水導出口８ｂは、温水導入口８ｃより低い位置に設けられる。水導入口８ａ及び水導出口８ｂは、貯湯タンク８の底部に配置されることが好ましい。また、図４では省略しているが、上部残湯温度サーミスタ４２は、貯湯タンク８の、前部断熱材４６及び後部断熱材４７に覆われた範囲に配置されている。貯湯タンク８の上部を覆う上壁部４６ｂ，４７ｂには、貯湯タンク８の上部に設けられた温水導入出口８ｄを露出させるための切欠きまたは開口が形成されている。
【００２９】
本実施の形態１では、前部断熱材４６の上壁部４６ｂと周壁部４６ａとが一体化しているので、前部断熱材４６の自重が作用しても、上壁部４６ｂと周壁部４６ａとの間にすき間が空くことがない。同様に、後部断熱材４７の上壁部４７ｂと周壁部４７ａとが一体化しているので、後部断熱材４７の自重が作用しても、上壁部４７ｂと周壁部４７ａとの間にすき間が空くことがない。したがって、高温になる貯湯タンク８の上部からの熱漏洩を確実に防止でき、貯湯タンク８の上部の放熱を確実に抑制できる。
【００３０】
また、貯湯タンク８の露出部分８ｅには、断熱材が設けられていないので、放熱が促進される。このため、貯湯タンク８の下部に貯留される水の温度を低くすることができる。ヒートポンプユニット７は、給水温度（加熱前の水の温度）が低いほど、加熱運転の効率を示すＣＯＰ（Ｃｏｅｆｆｉｃｉｅｎｔ  Ｏｆ  Ｐｅｒｆｏｒｍａｎｃｅ）が良好になる。本実施の形態１では、貯湯タンク８の露出部分８ｅの放熱が促進されることで、露出部分８ｅに設けられた水導出口８ｂから導出される水の温度、すなわちヒートポンプユニット７への給水温度が低くなるので、加熱運転の効率（ＣＯＰ）を向上できる。
【００３１】
また、本実施の形態１では、温水導入口８ｃが貯湯タンク８の露出部分８ｅに設けられていることで、次のような効果がある。前述したように、貯湯追いだき運転では、温水導入口８ｃから貯湯タンク８内に中温水が流入する。また、前述したバイパス運転においても、温水導入口８ｃから貯湯タンク８内に中温水が流入する場合がある。一般に、中温水が貯湯タンク８内に流入すると、貯湯タンク８の下部の水温が上昇するので、ヒートポンプユニット７への給水温度が上昇し、加熱運転の効率（ＣＯＰ）が低下する。これに対し、本実施の形態１によれば、温水導入口８ｃから貯湯タンク８内に中温水が流入することで貯湯タンク８の下部の水温が上昇した場合でも、貯湯タンク８の露出部分８ｅの放熱が促進されることで、貯湯タンク８の下部の水温を速やかに低下させることができる。このため、ヒートポンプユニット７への給水温度の上昇を確実に抑制でき、加熱運転の効率（ＣＯＰ）の低下を確実に抑制できる。
【００３２】
特に、本実施の形態１では、温水導入口８ｃが水導出口８ｂより高い位置にあるので、温水導入口８ｃから貯湯タンク８内に流入した中温水が、水導出口８ｂから水導出口配管１０へ流出するまでの間に、ある程度の時間がかかる。このため、その時間の間に貯湯タンク８の露出部分８ｅから放熱し、水温が低下することで、ヒートポンプユニット７への給水温度の上昇をより確実に抑制でき、加熱運転の効率（ＣＯＰ）の低下をより確実に抑制できる。
【００３３】
また、本実施の形態１では、制御装置３６は、前部断熱材４６及び後部断熱材４７に覆われない貯湯タンク８の露出部分８ｅに配置された下部残湯温度サーミスタ４３（第二温度検出手段）の検出温度によらず、前部断熱材４６及び後部断熱材４７に覆われた範囲の貯湯タンク８に配置された上部残湯温度サーミスタ４２（第一温度検出手段）の検出温度に基づいて加熱運転を実施する。すなわち、制御装置３６は、上部残湯温度サーミスタ４２の検出温度に基づいて把握される貯湯タンク８内の残湯量が、所定の湯量以下になった場合には、加熱運転を実施する。一方、制御装置３６は、下部残湯温度サーミスタ４３の検出温度が低下した場合であっても、加熱運転を実施しない。貯湯タンク８の露出部分８ｅは、放熱が促進されるので、露出部分８ｅに設けられた下部残湯温度サーミスタ４３の検出温度は低下し易い。このため、下部残湯温度サーミスタ４３の検出温度に基づいて加熱運転を実施すると、加熱運転の実施頻度が高くなり、エネルギー消費が多くなる。これに対し、本実施の形態１では、上記のように制御することで、加熱運転を必要以上に実施することを確実に抑制し、エネルギー消費を抑制できる。
【００３４】
図４及び図５に示すように、前部断熱材４６と後部断熱材４７との接合位置には、嵌合部４８が形成される。本実施の形態１では、貯湯タンク８を覆う断熱材を貯湯タンク８の周方向に複数（前部断熱材４６と後部断熱材４７の二つ）に分割したことで、貯湯タンク８への断熱材の取り付け作業を容易に行うことができる。また、前部断熱材４６と後部断熱材４７との嵌合部４８は、縦方向（上下方向）になるので、前部断熱材４６及び後部断熱材４７の自重が作用しても嵌合部４８のすき間が広がることはない。このため、高温になる貯湯タンク８の上部からの熱漏洩を確実に抑制でき、貯湯タンク８の上部の温度低下を確実に抑制できる。
【００３５】
図６に示すように、前部断熱材４６と後部断熱材４７との嵌合部４８は、前部断熱材４６に形成された第一端部４６ｃと、後部断熱材４７に形成された第二端部４７ｃとが、前部断熱材４６及び後部断熱材４７の厚さ方向に重なるように構成される。第一端部４６ｃは、貯湯タンク８に近い側、すなわち内側に位置する。第二端部４７ｃは、貯湯タンク８から遠い側、すなわち外側に位置する。図６は、前部断熱材４６に形成された第一端部４６ｃと、後部断熱材４７に形成された第二端部４７ｃとを嵌合させる前の状態を表し、かつ、図中の下側にある貯湯タンク８の図示を省略している。第一端部４６ｃには、その先端側から基端側に向かって第一端部４６ｃの厚さを漸増させるテーパー４６ｄが形成されている。第二端部４７ｃの厚さは、ほぼ一定になっている。本実施の形態１では、貯湯タンク８に近い側に位置する第一端部４６ｃにテーパー４６ｄを形成したことにより、嵌合部４８を嵌合させた状態で、テーパー４６ｄの部分が自重方向の力も加わり圧縮されることで、第一端部４６ｃ及び第二端部４７ｃの密着性を高めることができる。このため、第一端部４６ｃ及び第二端部４７ｃの間のすき間を確実に低減することができ、嵌合部４８からの熱漏洩をより確実に抑制できる。
【符号の説明】
【００３６】
１  圧縮機、３  水冷媒熱交換器、４  膨張弁、５  冷媒循環配管、６  空気熱交換器、７  ヒートポンプユニット、８  貯湯タンク、８ａ  水導入口、８ｂ  水導出口、８ｃ  温水導入口、８ｄ  温水導入出口、８ｅ  露出部分、９  給水管路、９ａ  第一給水配管、９ｂ  第二給水配管、９ｃ  第三給水配管、１０  水導出口配管、１１  三方弁、１２  循環ポンプ、１３  送湯配管、１４  ヒートポンプ往き配管、１５  ヒートポンプ戻り配管、１６  第一バイパス配管、１７  第二バイパス配管、１８  四方弁、２０  ふろ用熱交換器、２０ａ  温水導入配管、２０ｂ  温水導出配管、２１  給湯配管、２２  給湯用混合弁、２３  ふろ用混合弁、２４  第一給湯配管、２５  第二給湯配管、２６  ふろ用電磁弁、２７  ふろ往き配管、２８  ふろ戻り配管、２９  ふろ循環ポンプ、３０  浴槽、３１  減圧弁、３２  ユニットケース、３３  タンクユニット、３４  給湯栓、３５  貯湯式給湯機、３６  制御装置、３７  ふろ往き温度サーミスタ、３８  ふろ戻り温度サーミスタ、３９  ヒートポンプ往き温度サーミスタ、４０  ヒートポンプ戻り温度サーミスタ、４２  上部残湯温度サーミスタ、４３  下部残湯温度サーミスタ、４４  支持部材、４５  脚、４６  前部断熱材、４６ａ  周壁部、４６ｂ  上壁部、４６ｃ  第一端部、４６ｄ  テーパー、４７  後部断熱材、４７ａ  周壁部、４７ｂ  上壁部、４７ｃ  第二端部、４８  嵌合部、５０  リモコン装置
【図１】
2015140968.tif 000003
【図２】
2015140968.tif 000004
【図３】
2015140968.tif 000005
【図４】
2015140968.tif 000006
【図５】
2015140968.tif 000007
【図６】
2015140968.tif 000008